(57)【要約】【課題】まつげの太さにばらつきがあっても問題なく装着することができ、また複数本のまつげエクステンション用人工毛を１回の施術でまつげに装着することができるようにして、元々まつげの少ない人にもボリューム感を与えることができ、しかもかつげへの装着を簡易迅速に行うことができるまつげエクステンション用人工毛の装着方法を提供する。【解決手段】まつげに近い幅を備え、まつげに貼付する凹面を付け根の付近に設けた中間用人工毛と、最大径部の直径がまつげよりも細径に形成されたまつげエクステンション用人工毛を用意するとともに、前記中間用人工毛をまつげに貼付した上、予め複数本を接着剤で連結した束状のまつげエクステンション用人工毛を前記中間用人工毛に貼付することにより、簡単に複数本を固定できるようにしたことを特徴とするまつげエクステンション用人工毛の装着方法。【選択図】図５
2018044254.tif 000002
【特許請求の範囲】
【請求項１】
まつげに近い幅を備え、まつげに貼付する凹面を付け根の付近に設けた中間用人工毛と、最大径部の直径がまつげよりも細径に形成されたまつげエクステンション用人工毛を用意するとともに、
前記中間用人工毛をまつげに貼付した上、予め複数本を接着剤で連結した束状のまつげエクステンション用人工毛を前記中間用人工毛に貼付することにより、簡単に複数本を固定できるようにしたことを特徴とするまつげエクステンション用人工毛の装着方法。
【請求項２】
前記中間用人工毛は、まつげに貼付する凹面の反対側に同様の凹面を形成されていることを特徴とする請求項１に記載のまつげエクステンション用人工毛の装着方法。
【請求項３】
前記中間用人工毛は、まつげに貼付する凹面の反対側に平滑面を形成されていることを特徴とする請求項１に記載のまつげエクステンション用人工毛の装着方法。
【請求項４】
前記中間用人工毛は、まつげに貼付する凹面の反対側に複数のまつげエクステンション用人工毛をはめ込む複数の溝が形成されていることを特徴とする請求項１に記載のまつげエクステンション用人工毛の装着方法。
【請求項５】
前記まつげエクステンション用人工毛は、最大径部の直径が０．０３ｍｍから０．２０ｍｍで形成されていることを特徴とする請求項１ないし４のいずれかに記載のまつげエクステンション用人工毛の装着方法。
【請求項６】
前記中間用人工毛および前記まつげエクステンション用人工毛は、接着剤により固定されることを特徴とする請求項１ないし５のいずれかに記載のまつげエクステンション用人工毛の装着方法。
【発明の詳細な説明】
【技術分野】
【０００１】
本発明は、まつげにボリューム感を持たせるエクステンション用人工毛を効率よく取り付けられるまつげエクステンション用人工毛の装着方法に関するものである。
【背景技術】
【０００２】
従来のまつげに装着されるまつげエクステンション用人工毛の装着方法としては、まつげエクステンション用人工毛は、最大径部の直径がまつげよりも細径に形成されており、上記まつげエクステンション用人工毛が、上記まつげに対して、所定の角度を有するように、上記まつげエクステンション用人工毛をまつげの長さ方向において互いに異なる位置に固定する作業を１本のまつげに対して繰り返し行うことにより、複数本の上記まつげエクステンション用人工毛が装着されるようにしたものが特開２０１６−３３２７０号公報（特許文献１参照）において提案されている。
【０００３】
しかしながら、特許文献１に開示されたまつげエクステンション用人工毛はまつげ１本に対して、まつげエクステンション用人工毛１本を順次複数本装着することが開示されているのみである。
したがってまつげエクステンション用人工毛の取付に手間がかかる上、施術者の熟練度によって完成した後の見映えに大きな差が出やすいという問題が生じていた。
【特許文献１】特開２０１６−３３２７０号公報
【発明の開示】
【発明が解決しようとする課題】
【０００４】
そこで、本発明はまつげの太さにばらつきがあっても問題なく装着することができ、また複数本のまつげエクステンション用人工毛を１回の施術でまつげに装着することができるようにして、元々まつげの少ない人にもボリューム感を与えることができ、しかもまつげへの装着を簡易迅速に行うことができるまつげエクステンション用人工毛の装着方法を提供することを目的とする。
【課題を解決するための手段】
【０００５】
すなわち本発明のまつげエクステンション用人工毛の装着方法は、まつげに近い幅を備え、まつげに貼付する凹面を付け根の付近に設けた中間用人工毛と、最大径部の直径がまつげよりも細径に形成されたまつげエクステンション用人工毛を用意するとともに、
前記中間用人工毛をまつげに貼付した上、予め複数本を接着剤で連結した束状のまつげエクステンション用人工毛を前記中間用人工毛に貼付することにより、簡単に複数本を固定できるようにしたことを特徴とするものである。
【０００６】
本発明のまつげエクステンション用人工毛の装着方法において、前記中間用人工毛は、まつげに貼付する凹面の反対側に同様の凹面を形成されていることをも特徴とするものである。
【０００７】
本発明のまつげエクステンション用人工毛の装着方法において、前記中間用人工毛は、まつげに貼付する凹面の反対側に平滑面を形成されていることをも特徴とするものである。
【０００８】
本発明のまつげエクステンション用人工毛の装着方法において、前記中間用人工毛は、まつげに貼付する凹面の反対側に複数のまつげエクステンション用人工毛をはめ込む複数の溝が形成されていることをも特徴とするものである。
【０００９】
本発明のまつげエクステンション用人工毛の装着方法において、前記まつげエクステンション用人工毛は、最大径部の直径が０．０３ｍｍから０．２０ｍｍで形成されていることをも特徴とするものである。
【００１０】
本発明のまつげエクステンション用人工毛の装着方法において、前記中間用人工毛および前記まつげエクステンション用人工毛は、接着剤により固定されることをも特徴とものである。
一般に、接着剤はグル―とも称され、アクリレート系の物質からなるものなどが従来より広く利用されている。
【発明の効果】
【００１１】
請求項１記載の発明におけるまつげエクステンション用人工毛の装着方法にあっては、中間用人工毛を用いることにより、太さにばらつきの多いまつげにまつげエクステンション用人工毛を安定して取り付けることができる。
またまつげに掛かる負担を軽減するとともに、剥がれにくくもちが良く、またつけ心地に違和感のないまつげエクステンション用人工毛の装着方法を提供することができる。
【００１２】
請求項２記載の発明におけるまつげエクステンション用人工毛の装着方法にあっては、中間用人工毛の両面に凹部が形成してあるため、まつげに貼付する際にどちらの面で貼付してもよいので、装着作業のスピードアップを図ることができる。
【００１３】
請求項３記載の発明におけるまつげエクステンション用人工毛の装着方法にあっては、前記中間用人工毛のまつげに貼付する凹面の反対側に平滑面を形成してあるため、予め複数本を接着剤で連結した束状のまつげエクステンション用人工毛を前記中間用人工毛に正確かつ迅速に貼付することができるようになった。
【００１４】
請求項４記載の発明におけるまつげエクステンション用人工毛の装着方法にあっては、前記中間用人工毛のまつげに貼付する凹面の反対側に複数のまつげエクステンション用人工毛をはめ込む複数の溝が形成されているため、予め複数本を接着剤で連結した束状のまつげエクステンション用人工毛を前記中間用人工毛に極めて正確かつ迅速に貼付することができるようになった。
【００１５】
請求項５記載の発明におけるまつげエクステンション用人工毛の装着方法にあっては、前記まつげエクステンション用人工毛が最大径部の直径が０．０３ｍｍから０．２０ｍｍで形成されている。したがって直径が約０．１５ｍｍ程度のまつげに対して少なくとも３本のまつげエクステンション用人工毛を並べて装着することができるのであり、したがってより豪華なつけまつげとすることができる。
【００１６】
請求項６記載の発明におけるまつげエクステンション用人工毛の装着方法にあっては、前記まつげエクステンション用人工毛を接着剤により固定される。
【図面の簡単な説明】
【００１７】
【図１】本発明に係るまつげエクステンション用人工毛の装着方法の第１実施例を示し、まつげエクステンション用人工毛を装着する前の段階の概略斜視図である。
【図２】その概略断面図である。
【図３】まつげに中間用人工毛を取り付けた状態を示す概略斜視図である。
【図４】その概略断面図である。
【図５】まつげエクステンション用人工毛の装着が完了した状態の概略斜視図である。
【図６】その概略断面図である。
【図７】本発明に係るまつげエクステンション用人工毛の装着方法の第２実施例を示し、まつげに中間用人工毛を取り付けた状態を示す概略斜視図である。
【図８】まつげエクステンション用人工毛を装着する前の段階の概略側面図である。
【図９】その概略断面図である。
【図１０】まつげに中間用人工毛を取り付けた状態を示す概略側面図である。
【図１１】その概略断面図である。
【図１２】まつげエクステンション用人工毛の装着が完了した状態の概略側面図である。
【図１３】その概略断面図である。
【図１４】本発明に係るまつげエクステンション用人工毛の装着方法の第３実施例を示し、まつげに中間用人工毛を取り付けた状態を示す概略斜視図である。
【図１５】まつげエクステンション用人工毛を装着する前の段階の概略断面図である。
【図１６】まつげに中間用人工毛を取り付けた状態を示す概略断面図である。
【図１７】まつげエクステンション用人工毛の装着が完了した状態の概略断面図である。
【発明を実施するための最良の形態】
【００１８】
以下、本発明に係るまつげエクステンション用人工毛の装着方法について実施の形態に基づき、図面を参照して詳細に説明する。
（第１実施例）
図１ないし図６は本発明に係るまつげエクステンション用人工毛の装着方法の第１実施例を示すものである。
図１ないし図６において、まつげ１１とこれに装着されるまつげエクステンション用人工毛１３との間には中間用人工毛１２が介在させてある。該中間用人工毛１２は前記まつげ１１とほぼ等しい太さ（幅）に、また前記まつげエクステンション用人工毛１３は、直径が上記まつげ１１よりも約１／３〜１／５程度となるように細径に形成されている。
ちなみに、前記まつげエクステンション用人工毛１３は、まつげエクステンション用人工毛１３の長さ方向端部が最大径となるよう形成されており、直径は０．０７ｍｍ程度である。毛先側のまつげエクステンション用人工毛１３の長さ方向端部に向って直径が次第に小さくなるように形成されている。
上記まつげエクステンション用人工毛１３には、微小な湾曲（カール）が形成されている。
その上で、予め複数本のまつげエクステンション用人工毛１３を接着剤１４で連結することにより束状として用意しておく。
一般に、このような接着剤はグル―とも称され、アクリレート系の物質からなるものなどが従来より広く利用されている。
また、中間用人工毛１２は、まつげ１１に貼付する凹面１２ａを付け根の付近に設けてある。該凹面１２ａの幅は約０．１５程度である。
【００１９】
本実施例のまつげエクステンション用人工毛の装着方法は、各部材を準備した図１および図２の状態から、まず図３および図４のように前記中間用人工毛１２を接着剤でまつげ１１に貼付する。その上で、予め複数本のまつげエクステンション用人工毛１３を接着剤１４で連結した束状のまつげエクステンション用人工毛１３を図５および図６のように前記中間用人工毛１２の外面に貼付するものであり、ワンタッチで複数本のまつげエクステンション用人工毛１３をまつげ１１に固定できるようになっている。
図において前記中間用人工毛１２は、まつげ１１に貼付する側の凹面１２ａとほぼ等しい凹面１２ｂをその反対側の面に形成してある。したがってまつげ１１に貼付する際にどちらの面で貼付してもよいので、装着作業のスピードアップを図ることができる。
また、前記中間用人工毛１２は凹面１２ａと凹面１２ｂとを両面に形成してあるので、まつげ１１や中間用人工毛１２、まつげエクステンション用人工毛１３のカールの方向等をみながら、凹面１２ａと凹面１２ｂのどの面をまつげ１１に貼付するかを適宜決定することができ、実際のまつ毛１１等の状況に応じて簡易迅速に対応することができる。
【００２０】
（第２実施例）
図７ないし図１３は本発明に係るまつげエクステンション用人工毛の装着方法の第２実施例を示すものである。
図７ないし図１３においても、まつげ２１とこれに装着されるまつげエクステンション用人工毛２３との間には中間用人工毛２２が介在させてある。該中間用人工毛２２は前記まつげ２１とほぼ等しい太さ（幅）に、また前記まつげエクステンション用人工毛２３は、直径が上記まつげ２１よりも約１／３〜１／５程度となるように細径に形成されている。
その上で、予め複数本のまつげエクステンション用人工毛２３を接着剤２４で連結することにより束状として用意しておく。
また、中間用人工毛２２は、まつげ２１に貼付する凹面２２ａを付け根の付近に設けてある。該凹面２２ａの幅は約０．１５程度である。
本実施例のまつげエクステンション用人工毛２３においては、前記中間用人工毛２２は、まつげに貼付する凹面２２ａの反対側に平滑面２２ｂを形成されている。
【００２１】
本実施例のまつげエクステンション用人工毛の装着方法は、各部材を準備した図９の状態から、まず図７および図１１のように前記中間用人工毛２２を接着剤でまつげ２１に貼付する。その上で、予め複数本のまつげエクステンション用人工毛２３を接着剤２４で連結した束状のまつげエクステンション用人工毛２３を図８および図１３のように前記中間用人工毛２２の外面に貼付するものであり、ワンタッチで複数本のまつげエクステンション用人工毛２３をまつげ２１に固定できるようになっている。
図において前記中間用人工毛２３は、まつげ２１に貼付する側の凹面２２ａの反対側を平滑面２２ｂに形成してある。したがって前記中間用人工毛２３を該平滑面２２ｂに到着しやすいので、装着作業の大幅なスピードアップを図ることができる。
【００２２】
（第３実施例）
図１４ないし図１７は本発明に係るまつげエクステンション用人工毛の装着方法の第３実施例を示すものである。
図１４ないし図１７においても、まつげ３１とこれに装着されるまつげエクステンション用人工毛３３との間には中間用人工毛３２が介在させてある。該中間用人工毛３２は前記まつげ３１とほぼ等しい太さ（幅）に、また前記まつげエクステンション用人工毛３３は、直径が上記まつげ３１よりも約１／３〜１／５程度となるように細径に形成されている。
その上で、予め複数本のまつげエクステンション用人工毛３３を接着剤３４で連結することにより束状として用意しておく。
また、中間用人工毛３２は、まつげ３１に貼付する凹面３２ａを付け根の付近に設けてある。該凹面３２ａの幅は約０．１５程度である。
本実施例のまつげエクステンション用人工毛３３においては、前記中間用人工毛３２は、まつげに貼付する凹面３２ａの反対側に各まつげエクステンション用人工毛３３をはめ込む複数の溝３２ｂを形成されている。
【００２３】
本実施例のまつげエクステンション用人工毛の装着方法は、各部材を準備した図１５の状態から、まず図１４および図１６のように前記中間用人工毛３２を接着剤でまつげ３１に貼付する。その上で、予め複数本のまつげエクステンション用人工毛３３を接着剤３４で連結した束状のまつげエクステンション用人工毛３３を図１７のように前記中間用人工毛３２の外面に貼付するものであり、ワンタッチで複数本のまつげエクステンション用人工毛３３をまつげ３１に固定できるようになっている。
図において前記中間用人工毛３２は、まつげ３１に貼付する側の凹面３２ａの反対側に複数の溝３２ｂが形成してある。したがって前記まつげエクステンション用人工毛３３を該複数の溝３２ｂに強固に固着しやすいので、まつ毛３１に強固に装着することができる。
【００２４】
上記実施の形態においては、前記中間用人工毛、まつげエクステンション用人工毛の順でまつげに固定するについて説明したが、これに限定されるものではなく、先に前記中間用人工毛にまつげエクステンション用人工毛を接着しておき、その後まつげに前記中間用人工毛を装着しても良い。
【産業上の利用可能性】
【００２５】
本発明に係るまつげエクステンション用人工毛の装着方法は、まつげエクステンションを施す専門店等において広く利用されるものであり、産業上利用可能性を有している。
【符号の説明】
【００２６】
１１  まつげ
１２  中間用人工毛
１２ａ  凹面
１２ｂ  凹面
１３  まつげエクステンション用人工毛
１４  接着剤
２１  まつげ
２２  中間用人工毛
２２ａ  凹面
２２ｂ  平滑面
２３  まつげエクステンション用人工毛
２４  接着剤
３１  まつげ
３２  中間用人工毛
３２ａ  凹面
３２ｂ  複数の溝
３３  まつげエクステンション用人工毛
３４  接着剤
【図１】
2018044254.tif 000003
【図２】
2018044254.tif 000004
【図３】
2018044254.tif 000005
【図４】
2018044254.tif 000006
【図５】
2018044254.tif 000007
【図６】
2018044254.tif 000008
【図７】
2018044254.tif 000009
【図８】
2018044254.tif 000010
【図９】
2018044254.tif 000011
【図１０】
2018044254.tif 000012
【図１１】
2018044254.tif 000013
【図１２】
2018044254.tif 000014
【図１３】
2018044254.tif 000015
【図１４】
2018044254.tif 000016
【図１５】
2018044254.tif 000017
【図１６】
2018044254.tif 000018
【図１７】
2018044254.tif 000019
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
まつげに近い幅を備え、まつげに貼付する凹面を付け根の付近に設けた中間用人工毛と、最大径部の直径がまつげよりも細径に形成されたまつげエクステンション用人工毛を用意するとともに、
前記中間用人工毛をまつげに貼付した上、予め複数本を接着剤で連結した束状のまつげエクステンション用人工毛を前記中間用人工毛に貼付することにより、簡単に複数本を固定できるようにしたことを特徴とするまつげエクステンション用人工毛の装着方法。
【請求項２】
前記中間用人工毛は、まつげに貼付する凹面の反対側に同様の凹面を形成されていることを特徴とする請求項１に記載のまつげエクステンション用人工毛の装着方法。
【請求項３】
前記中間用人工毛は、まつげに貼付する凹面の反対側に平滑面を形成されていることを特徴とする請求項１に記載のまつげエクステンション用人工毛の装着方法。
【請求項４】
前記中間用人工毛は、まつげに貼付する凹面の反対側に複数のまつげエクステンション用人工毛をはめ込む複数の溝が形成されていることを特徴とする請求項１に記載のまつげエクステンション用人工毛の装着方法。
【請求項５】
前記まつげエクステンション用人工毛は、最大径部の直径がまつげに対して１／３から１／５となるように形成されていることを特徴とする請求項１ないし４のいずれかに記載のまつげエクステンション用人工毛の装着方法。
【請求項６】
前記中間用人工毛および前記まつげエクステンション用人工毛は、接着剤により固定されることを特徴とする請求項１ないし５のいずれかに記載のまつげエクステンション用人工毛の装着方法。
【手続補正２】
【補正対象書類名】明細書
【補正対象項目名】全文
【補正方法】変更
【補正の内容】
【発明の詳細な説明】
【技術分野】
【０００１】
本発明は、まつげにボリューム感を持たせるエクステンション用人工毛を効率よく取り付けられるまつげエクステンション用人工毛の装着方法に関するものである。
【背景技術】
【０００２】
従来のまつげに装着されるまつげエクステンション用人工毛の装着方法としては、まつげエクステンション用人工毛は、最大径部の直径がまつげよりも細径に形成されており、上記まつげエクステンション用人工毛が、上記まつげに対して、所定の角度を有するように、上記まつげエクステンション用人工毛をまつげの長さ方向において互いに異なる位置に固定する作業を１本のまつげに対して繰り返し行うことにより、複数本の上記まつげエクステンション用人工毛が装着されるようにしたものが特開２０１６−３３２７０号公報（特許文献１参照）において提案されている。
【０００３】
しかしながら、特許文献１に開示されたまつげエクステンション用人工毛はまつげ１本に対して、まつげエクステンション用人工毛１本を順次複数本装着することが開示されているのみである。
したがってまつげエクステンション用人工毛の取付に手間がかかる上、施術者の熟練度によって完成した後の見映えに大きな差が出やすいという問題が生じていた。
【特許文献１】特開２０１６−３３２７０号公報
【発明の開示】
【発明が解決しようとする課題】
【０００４】
そこで、本発明はまつげの太さにばらつきがあっても問題なく装着することができ、また複数本のまつげエクステンション用人工毛を１回の施術でまつげに装着することができるようにして、元々まつげの少ない人にもボリューム感を与えることができ、しかもまつげへの装着を簡易迅速に行うことができるまつげエクステンション用人工毛の装着方法を提供することを目的とする。
【課題を解決するための手段】
【０００５】
すなわち本発明のまつげエクステンション用人工毛の装着方法は、まつげに近い幅を備え、まつげに貼付する凹面を付け根の付近に設けた中間用人工毛と、最大径部の直径がまつげよりも細径に形成されたまつげエクステンション用人工毛を用意するとともに、
前記中間用人工毛をまつげに貼付した上、予め複数本を接着剤で連結した束状のまつげエクステンション用人工毛を前記中間用人工毛に貼付することにより、簡単に複数本を固定できるようにしたことを特徴とするものである。
【０００６】
本発明のまつげエクステンション用人工毛の装着方法において、前記中間用人工毛は、まつげに貼付する凹面の反対側に同様の凹面を形成されていることをも特徴とするものである。
【０００７】
本発明のまつげエクステンション用人工毛の装着方法において、前記中間用人工毛は、まつげに貼付する凹面の反対側に平滑面を形成されていることをも特徴とするものである。
【０００８】
本発明のまつげエクステンション用人工毛の装着方法において、前記中間用人工毛は、まつげに貼付する凹面の反対側に複数のまつげエクステンション用人工毛をはめ込む複数の溝が形成されていることをも特徴とするものである。
【０００９】
本発明のまつげエクステンション用人工毛の装着方法において、前記まつげエクステンション用人工毛は、最大径部の直径がまつげに対して１／３から１／５となるように形成されていることをも特徴とするものである。
【００１０】
本発明のまつげエクステンション用人工毛の装着方法において、前記中間用人工毛および前記まつげエクステンション用人工毛は、接着剤により固定されることをも特徴とするものである。
一般に、接着剤はグル―とも称され、アクリレート系の物質からなるものなどが従来より広く利用されている。
【発明の効果】
【００１１】
請求項１記載の発明におけるまつげエクステンション用人工毛の装着方法にあっては、中間用人工毛を用いることにより、太さにばらつきの多いまつげにまつげエクステンション用人工毛を安定して取り付けることができる。
またまつげに掛かる負担を軽減するとともに、剥がれにくくもちが良く、またつけ心地に違和感のないまつげエクステンション用人工毛の装着方法を提供することができる。
【００１２】
請求項２記載の発明におけるまつげエクステンション用人工毛の装着方法にあっては、中間用人工毛の両面に凹部が形成してあるため、まつげに貼付する際にどちらの面で貼付してもよいので、装着作業のスピードアップを図ることができる。
【００１３】
請求項３記載の発明におけるまつげエクステンション用人工毛の装着方法にあっては、前記中間用人工毛のまつげに貼付する凹面の反対側に平滑面を形成してあるため、予め複数本を接着剤で連結した束状のまつげエクステンション用人工毛を前記中間用人工毛に正確かつ迅速に貼付することができるようになった。
【００１４】
請求項４記載の発明におけるまつげエクステンション用人工毛の装着方法にあっては、前記中間用人工毛のまつげに貼付する凹面の反対側に複数のまつげエクステンション用人工毛をはめ込む複数の溝が形成されているため、予め複数本を接着剤で連結した束状のまつげエクステンション用人工毛を前記中間用人工毛に極めて正確かつ迅速に貼付することができるようになった。
【００１５】
請求項５記載の発明におけるまつげエクステンション用人工毛の装着方法にあっては、前記まつげエクステンション用人工毛が最大径部の直径がまつげに対して１／３から１／５となるように形成されている。したがって直径が約０．１５ｍｍ程度のまつげに対して少なくとも３本のまつげエクステンション用人工毛を並べて装着することができるのであり、したがってより豪華なつけまつげとすることができる。
【００１６】
請求項６記載の発明におけるまつげエクステンション用人工毛の装着方法にあっては、前記まつげエクステンション用人工毛を接着剤により固定される。
【図面の簡単な説明】
【００１７】
【図１】本発明に係るまつげエクステンション用人工毛の装着方法の第１実施例を示し、まつげエクステンション用人工毛を装着する前の段階の概略斜視図である。
【図２】その概略断面図である。
【図３】まつげに中間用人工毛を取り付けた状態を示す概略斜視図である。
【図４】その概略断面図である。
【図５】まつげエクステンション用人工毛の装着が完了した状態の概略斜視図である。
【図６】その概略断面図である。
【図７】本発明に係るまつげエクステンション用人工毛の装着方法の第２実施例を示し、まつげに中間用人工毛を取り付けた状態を示す概略斜視図である。
【図８】まつげエクステンション用人工毛を装着する前の段階の概略側面図である。
【図９】その概略断面図である。
【図１０】まつげに中間用人工毛を取り付けた状態を示す概略側面図である。
【図１１】その概略断面図である。
【図１２】まつげエクステンション用人工毛の装着が完了した状態の概略側面図である。
【図１３】その概略断面図である。
【図１４】本発明に係るまつげエクステンション用人工毛の装着方法の第３実施例を示し、まつげに中間用人工毛を取り付けた状態を示す概略斜視図である。
【図１５】まつげエクステンション用人工毛を装着する前の段階の概略断面図である。
【図１６】まつげに中間用人工毛を取り付けた状態を示す概略断面図である。
【図１７】まつげエクステンション用人工毛の装着が完了した状態の概略断面図である。
【発明を実施するための最良の形態】
【００１８】
以下、本発明に係るまつげエクステンション用人工毛の装着方法について実施の形態に基づき、図面を参照して詳細に説明する。
（第１実施例）
図１ないし図６は本発明に係るまつげエクステンション用人工毛の装着方法の第１実施例を示すものである。
図１ないし図６において、まつげ１１とこれに装着されるまつげエクステンション用人工毛１３との間には中間用人工毛１２が介在させてある。該中間用人工毛１２は前記まつげ１１とほぼ等しい太さ（幅）に、また前記まつげエクステンション用人工毛１３は、直径が上記まつげ１１よりも約１／３〜１／５程度となるように細径に形成されている。
ちなみに、前記まつげエクステンション用人工毛１３は、まつげエクステンション用人工毛１３の長さ方向端部が最大径となるよう形成されており、直径は０．０７ｍｍ程度である。毛先側のまつげエクステンション用人工毛１３の長さ方向端部に向って直径が次第に小さくなるように形成されている。
上記まつげエクステンション用人工毛１３には、微小な湾曲（カール）が形成されている。
その上で、予め複数本のまつげエクステンション用人工毛１３を接着剤１４で連結することにより束状として用意しておく。
一般に、このような接着剤はグル―とも称され、アクリレート系の物質からなるものなどが従来より広く利用されている。
また、中間用人工毛１２は、まつげ１１に貼付する凹面１２ａを付け根の付近に設けてある。該凹面１２ａの幅は約０．１５ｍｍ程度である。
【００１９】
本実施例のまつげエクステンション用人工毛の装着方法は、各部材を準備した図１および図２の状態から、まず図３および図４のように前記中間用人工毛１２を接着剤でまつげ１１に貼付する。その上で、予め複数本のまつげエクステンション用人工毛１３を接着剤１４で連結した束状のまつげエクステンション用人工毛１３を図５および図６のように前記中間用人工毛１２の外面に貼付するものであり、ワンタッチで複数本のまつげエクステンション用人工毛１３をまつげ１１に固定できるようになっている。
図において前記中間用人工毛１２は、まつげ１１に貼付する側の凹面１２ａとほぼ等しい凹面１２ｂをその反対側の面に形成してある。したがってまつげ１１に貼付する際にどちらの面で貼付してもよいので、装着作業のスピードアップを図ることができる。
また、前記中間用人工毛１２は凹面１２ａと凹面１２ｂとを両面に形成してあるので、まつげ１１や中間用人工毛１２、まつげエクステンション用人工毛１３のカールの方向等をみながら、凹面１２ａと凹面１２ｂのどの面をまつげ１１に貼付するかを適宜決定することができ、実際のまつ毛１１等の状況に応じて簡易迅速に対応することができる。
【００２０】
（第２実施例）
図７ないし図１３は本発明に係るまつげエクステンション用人工毛の装着方法の第２実施例を示すものである。
図７ないし図１３においても、まつげ２１とこれに装着されるまつげエクステンション用人工毛２３との間には中間用人工毛２２が介在させてある。該中間用人工毛２２は前記まつげ２１とほぼ等しい太さ（幅）に、また前記まつげエクステンション用人工毛２３は、直径が上記まつげ２１よりも約１／３〜１／５程度となるように細径に形成されている。
その上で、予め複数本のまつげエクステンション用人工毛２３を接着剤２４で連結することにより束状として用意しておく。
また、中間用人工毛２２は、まつげ２１に貼付する凹面２２ａを付け根の付近に設けてある。該凹面２２ａの幅は約０．１５ｍｍ程度である。
本実施例のまつげエクステンション用人工毛２３においては、前記中間用人工毛２２は、まつげに貼付する凹面２２ａの反対側に平滑面２２ｂを形成されている。
【００２１】
本実施例のまつげエクステンション用人工毛の装着方法は、各部材を準備した図９の状態から、まず図７および図１１のように前記中間用人工毛２２を接着剤でまつげ２１に貼付する。その上で、予め複数本のまつげエクステンション用人工毛２３を接着剤２４で連結した束状のまつげエクステンション用人工毛２３を図８および図１３のように前記中間用人工毛２２の外面に貼付するものであり、ワンタッチで複数本のまつげエクステンション用人工毛２３をまつげ２１に固定できるようになっている。
図において前記中間用人工毛２３は、まつげ２１に貼付する側の凹面２２ａの反対側を平滑面２２ｂに形成してある。したがって前記中間用人工毛２３を該平滑面２２ｂに到着しやすいので、装着作業の大幅なスピードアップを図ることができる。
【００２２】
（第３実施例）
図１４ないし図１７は本発明に係るまつげエクステンション用人工毛の装着方法の第３実施例を示すものである。
図１４ないし図１７においても、まつげ３１とこれに装着されるまつげエクステンション用人工毛３３との間には中間用人工毛３２が介在させてある。該中間用人工毛３２は前記まつげ３１とほぼ等しい太さ（幅）に、また前記まつげエクステンション用人工毛３３は、直径が上記まつげ３１よりも約１／３〜１／５程度となるように細径に形成されている。
その上で、予め複数本のまつげエクステンション用人工毛３３を接着剤３４で連結することにより束状として用意しておく。
また、中間用人工毛３２は、まつげ３１に貼付する凹面３２ａを付け根の付近に設けてある。該凹面３２ａの幅は約０．１５ｍｍ程度である。
本実施例のまつげエクステンション用人工毛３３においては、前記中間用人工毛３２は、まつげに貼付する凹面３２ａの反対側に各まつげエクステンション用人工毛３３をはめ込む複数の溝３２ｂを形成されている。
【００２３】
本実施例のまつげエクステンション用人工毛の装着方法は、各部材を準備した図１５の状態から、まず図１４および図１６のように前記中間用人工毛３２を接着剤でまつげ３１に貼付する。その上で、予め複数本のまつげエクステンション用人工毛３３を接着剤３４で連結した束状のまつげエクステンション用人工毛３３を図１７のように前記中間用人工毛３２の外面に貼付するものであり、ワンタッチで複数本のまつげエクステンション用人工毛３３をまつげ３１に固定できるようになっている。
図において前記中間用人工毛３２は、まつげ３１に貼付する側の凹面３２ａの反対側に複数の溝３２ｂが形成してある。したがって前記まつげエクステンション用人工毛３３を該複数の溝３２ｂに強固に固着しやすいので、まつ毛３１に強固に装着することができる。
【００２４】
上記実施の形態においては、前記中間用人工毛、まつげエクステンション用人工毛の順でまつげに固定するについて説明したが、これに限定されるものではなく、先に前記中間用人工毛にまつげエクステンション用人工毛を接着しておき、その後まつげに前記中間用人工毛を装着しても良い。
【産業上の利用可能性】
【００２５】
本発明に係るまつげエクステンション用人工毛の装着方法は、まつげエクステンションを施す専門店等において広く利用されるものであり、産業上利用可能性を有している。
【符号の説明】
【００２６】
１１  まつげ
１２  中間用人工毛
１２ａ  凹面
１２ｂ  凹面
１３  まつげエクステンション用人工毛
１４  接着剤
２１  まつげ
２２  中間用人工毛
２２ａ  凹面
２２ｂ  平滑面
２３  まつげエクステンション用人工毛
２４  接着剤
３１  まつげ
３２  中間用人工毛
３２ａ  凹面
３２ｂ  複数の溝
３３  まつげエクステンション用人工毛
３４  接着剤
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
まつげに近い幅を備え、まつげに貼付する凹面を付け根の付近に設けた中間用人工毛と、最大径部の直径がまつげよりも細径に形成されたまつげエクステンション用人工毛を用意するとともに、
前記中間用人工毛をまつげに貼付した上、予め複数本を接着剤で連結した束状のまつげエクステンション用人工毛を前記中間用人工毛に貼付することにより、簡単に複数本を固定できるようにしたことを特徴とするまつげエクステンション用人工毛の装着方法。
【請求項２】
前記中間用人工毛は、まつげに貼付する凹面の反対側に同様の凹面を形成されていることを特徴とする請求項１に記載のまつげエクステンション用人工毛の装着方法。
【請求項３】
前記中間用人工毛は、まつげに貼付する凹面の反対側に平滑面を形成されていることを特徴とする請求項１に記載のまつげエクステンション用人工毛の装着方法。
【請求項４】
前記中間用人工毛は、まつげに貼付する凹面の反対側に複数のまつげエクステンション用人工毛をはめ込む複数の溝が形成されていることを特徴とする請求項１に記載のまつげエクステンション用人工毛の装着方法。
【請求項５】
前記中間用人工毛および前記まつげエクステンション用人工毛は、接着剤により固定されることを特徴とする請求項１ないし４のいずれかに記載のまつげエクステンション用人工毛の装着方法。
【手続補正２】
【補正対象書類名】明細書
【補正対象項目名】全文
【補正方法】変更
【補正の内容】
【発明の詳細な説明】
【技術分野】
【０００１】
本発明は、まつげにボリューム感を持たせるエクステンション用人工毛を効率よく取り付けられるまつげエクステンション用人工毛の装着方法に関するものである。
【背景技術】
【０００２】
従来のまつげに装着されるまつげエクステンション用人工毛の装着方法としては、まつげエクステンション用人工毛は、最大径部の直径がまつげよりも細径に形成されており、上記まつげエクステンション用人工毛が、上記まつげに対して、所定の角度を有するように、上記まつげエクステンション用人工毛をまつげの長さ方向において互いに異なる位置に固定する作業を１本のまつげに対して繰り返し行うことにより、複数本の上記まつげエクステンション用人工毛が装着されるようにしたものが特開２０１６−３３２７０号公報（特許文献１参照）において提案されている。
【０００３】
しかしながら、特許文献１に開示されたまつげエクステンション用人工毛はまつげ１本に対して、まつげエクステンション用人工毛１本を順次複数本装着することが開示されているのみである。
したがってまつげエクステンション用人工毛の取付に手間がかかる上、施術者の熟練度によって完成した後の見映えに大きな差が出やすいという問題が生じていた。
【特許文献１】特開２０１６−３３２７０号公報
【発明の開示】
【発明が解決しようとする課題】
【０００４】
そこで、本発明はまつげの太さにばらつきがあっても問題なく装着することができ、また複数本のまつげエクステンション用人工毛を１回の施術でまつげに装着することができるようにして、元々まつげの少ない人にもボリューム感を与えることができ、しかもまつげへの装着を簡易迅速に行うことができるまつげエクステンション用人工毛の装着方法を提供することを目的とする。
【課題を解決するための手段】
【０００５】
すなわち本発明のまつげエクステンション用人工毛の装着方法は、まつげに近い幅を備え、まつげに貼付する凹面を付け根の付近に設けた中間用人工毛と、最大径部の直径がまつげよりも細径に形成されたまつげエクステンション用人工毛を用意するとともに、
前記中間用人工毛をまつげに貼付した上、予め複数本を接着剤で連結した束状のまつげエクステンション用人工毛を前記中間用人工毛に貼付することにより、簡単に複数本を固定できるようにしたことを特徴とするものである。
【０００６】
本発明のまつげエクステンション用人工毛の装着方法において、前記中間用人工毛は、まつげに貼付する凹面の反対側に同様の凹面を形成されていることをも特徴とするものである。
【０００７】
本発明のまつげエクステンション用人工毛の装着方法において、前記中間用人工毛は、まつげに貼付する凹面の反対側に平滑面を形成されていることをも特徴とするものである。
【０００８】
本発明のまつげエクステンション用人工毛の装着方法において、前記中間用人工毛は、まつげに貼付する凹面の反対側に複数のまつげエクステンション用人工毛をはめ込む複数の溝が形成されていることをも特徴とするものである。
【０００９】
本発明のまつげエクステンション用人工毛の装着方法において、前記まつげエクステンション用人工毛は、最大径部の直径がまつげに対して１／３から１／５となるように形成されていることが望ましい。
【００１０】
本発明のまつげエクステンション用人工毛の装着方法において、前記中間用人工毛および前記まつげエクステンション用人工毛は、接着剤により固定されることをも特徴とするものである。
一般に、接着剤はグル―とも称され、アクリレート系の物質からなるものなどが従来より広く利用されている。
【発明の効果】
【００１１】
請求項１記載の発明におけるまつげエクステンション用人工毛の装着方法にあっては、中間用人工毛を用いることにより、太さにばらつきの多いまつげにまつげエクステンション用人工毛を安定して取り付けることができる。
またまつげに掛かる負担を軽減するとともに、剥がれにくくもちが良く、またつけ心地に違和感のないまつげエクステンション用人工毛の装着方法を提供することができる。
【００１２】
請求項２記載の発明におけるまつげエクステンション用人工毛の装着方法にあっては、中間用人工毛の両面に凹部が形成してあるため、まつげに貼付する際にどちらの面で貼付してもよいので、装着作業のスピードアップを図ることができる。
【００１３】
請求項３記載の発明におけるまつげエクステンション用人工毛の装着方法にあっては、前記中間用人工毛のまつげに貼付する凹面の反対側に平滑面を形成してあるため、予め複数本を接着剤で連結した束状のまつげエクステンション用人工毛を前記中間用人工毛に正確かつ迅速に貼付することができるようになった。
【００１４】
請求項４記載の発明におけるまつげエクステンション用人工毛の装着方法にあっては、前記中間用人工毛のまつげに貼付する凹面の反対側に複数のまつげエクステンション用人工毛をはめ込む複数の溝が形成されているため、予め複数本を接着剤で連結した束状のまつげエクステンション用人工毛を前記中間用人工毛に極めて正確かつ迅速に貼付することができるようになった。
【００１５】
本発明におけるまつげエクステンション用人工毛の装着方法にあっては、前記まつげエクステンション用人工毛が最大径部の直径がまつげに対して１／３から１／５となるように形成されていることが望ましい。したがって直径が約０．１５ｍｍ程度のまつげに対して少なくとも３本のまつげエクステンション用人工毛を並べて装着することができるのであり、したがってより豪華なつけまつげとすることができる。
【００１６】
請求項５記載の発明におけるまつげエクステンション用人工毛の装着方法にあっては、前記まつげエクステンション用人工毛を接着剤により固定される。
【図面の簡単な説明】
【００１７】
【図１】本発明に係るまつげエクステンション用人工毛の装着方法の第１実施例を示し、まつげエクステンション用人工毛を装着する前の段階の概略斜視図である。
【図２】その概略断面図である。
【図３】まつげに中間用人工毛を取り付けた状態を示す概略斜視図である。
【図４】その概略断面図である。
【図５】まつげエクステンション用人工毛の装着が完了した状態の概略斜視図である。
【図６】その概略断面図である。
【図７】本発明に係るまつげエクステンション用人工毛の装着方法の第２実施例を示し、まつげに中間用人工毛を取り付けた状態を示す概略斜視図である。
【図８】まつげエクステンション用人工毛を装着する前の段階の概略側面図である。
【図９】その概略断面図である。
【図１０】まつげに中間用人工毛を取り付けた状態を示す概略側面図である。
【図１１】その概略断面図である。
【図１２】まつげエクステンション用人工毛の装着が完了した状態の概略側面図である。
【図１３】その概略断面図である。
【図１４】本発明に係るまつげエクステンション用人工毛の装着方法の第３実施例を示し、まつげに中間用人工毛を取り付けた状態を示す概略斜視図である。
【図１５】まつげエクステンション用人工毛を装着する前の段階の概略断面図である。
【図１６】まつげに中間用人工毛を取り付けた状態を示す概略断面図である。
【図１７】まつげエクステンション用人工毛の装着が完了した状態の概略断面図である。
【発明を実施するための最良の形態】
【００１８】
以下、本発明に係るまつげエクステンション用人工毛の装着方法について実施の形態に基づき、図面を参照して詳細に説明する。
（第１実施例）
図１ないし図６は本発明に係るまつげエクステンション用人工毛の装着方法の第１実施例を示すものである。
図１ないし図６において、まつげ１１とこれに装着されるまつげエクステンション用人工毛１３との間には中間用人工毛１２が介在させてある。該中間用人工毛１２は前記まつげ１１とほぼ等しい太さ（幅）に、また前記まつげエクステンション用人工毛１３は、直径が上記まつげ１１よりも約１／３〜１／５程度となるように細径に形成されている。
ちなみに、前記まつげエクステンション用人工毛１３は、まつげエクステンション用人工毛１３の長さ方向端部が最大径となるよう形成されており、直径は０．０７ｍｍ程度である。毛先側のまつげエクステンション用人工毛１３の長さ方向端部に向って直径が次第に小さくなるように形成されている。
上記まつげエクステンション用人工毛１３には、微小な湾曲（カール）が形成されている。
その上で、予め複数本のまつげエクステンション用人工毛１３を接着剤１４で連結することにより束状として用意しておく。
一般に、このような接着剤はグル―とも称され、アクリレート系の物質からなるものなどが従来より広く利用されている。
また、中間用人工毛１２は、まつげ１１に貼付する凹面１２ａを付け根の付近に設けてある。該凹面１２ａの幅は約０．１５ｍｍ程度である。
【００１９】
本実施例のまつげエクステンション用人工毛の装着方法は、各部材を準備した図１および図２の状態から、まず図３および図４のように前記中間用人工毛１２を接着剤でまつげ１１に貼付する。その上で、予め複数本のまつげエクステンション用人工毛１３を接着剤１４で連結した束状のまつげエクステンション用人工毛１３を図５および図６のように前記中間用人工毛１２の外面に貼付するものであり、ワンタッチで複数本のまつげエクステンション用人工毛１３をまつげ１１に固定できるようになっている。
図において前記中間用人工毛１２は、まつげ１１に貼付する側の凹面１２ａとほぼ等しい凹面１２ｂをその反対側の面に形成してある。したがってまつげ１１に貼付する際にどちらの面で貼付してもよいので、装着作業のスピードアップを図ることができる。
また、前記中間用人工毛１２は凹面１２ａと凹面１２ｂとを両面に形成してあるので、まつげ１１や中間用人工毛１２、まつげエクステンション用人工毛１３のカールの方向等をみながら、凹面１２ａと凹面１２ｂのどの面をまつげ１１に貼付するかを適宜決定することができ、実際のまつ毛１１等の状況に応じて簡易迅速に対応することができる。
【００２０】
（第２実施例）
図７ないし図１３は本発明に係るまつげエクステンション用人工毛の装着方法の第２実施例を示すものである。
図７ないし図１３においても、まつげ２１とこれに装着されるまつげエクステンション用人工毛２３との間には中間用人工毛２２が介在させてある。該中間用人工毛２２は前記まつげ２１とほぼ等しい太さ（幅）に、また前記まつげエクステンション用人工毛２３は、直径が上記まつげ２１よりも約１／３〜１／５程度となるように細径に形成されている。
その上で、予め複数本のまつげエクステンション用人工毛２３を接着剤２４で連結することにより束状として用意しておく。
また、中間用人工毛２２は、まつげ２１に貼付する凹面２２ａを付け根の付近に設けてある。該凹面２２ａの幅は約０．１５ｍｍ程度である。
本実施例のまつげエクステンション用人工毛２３においては、前記中間用人工毛２２は、まつげに貼付する凹面２２ａの反対側に平滑面２２ｂを形成されている。
【００２１】
本実施例のまつげエクステンション用人工毛の装着方法は、各部材を準備した図９の状態から、まず図７および図１１のように前記中間用人工毛２２を接着剤でまつげ２１に貼付する。その上で、予め複数本のまつげエクステンション用人工毛２３を接着剤２４で連結した束状のまつげエクステンション用人工毛２３を図８および図１３のように前記中間用人工毛２２の外面に貼付するものであり、ワンタッチで複数本のまつげエクステンション用人工毛２３をまつげ２１に固定できるようになっている。
図において前記中間用人工毛２３は、まつげ２１に貼付する側の凹面２２ａの反対側を平滑面２２ｂに形成してある。したがって前記中間用人工毛２３を該平滑面２２ｂに到着しやすいので、装着作業の大幅なスピードアップを図ることができる。
【００２２】
（第３実施例）
図１４ないし図１７は本発明に係るまつげエクステンション用人工毛の装着方法の第３実施例を示すものである。
図１４ないし図１７においても、まつげ３１とこれに装着されるまつげエクステンション用人工毛３３との間には中間用人工毛３２が介在させてある。該中間用人工毛３２は前記まつげ３１とほぼ等しい太さ（幅）に、また前記まつげエクステンション用人工毛３３は、直径が上記まつげ３１よりも約１／３〜１／５程度となるように細径に形成されている。
その上で、予め複数本のまつげエクステンション用人工毛３３を接着剤３４で連結することにより束状として用意しておく。
また、中間用人工毛３２は、まつげ３１に貼付する凹面３２ａを付け根の付近に設けてある。該凹面３２ａの幅は約０．１５ｍｍ程度である。
本実施例のまつげエクステンション用人工毛３３においては、前記中間用人工毛３２は、まつげに貼付する凹面３２ａの反対側に各まつげエクステンション用人工毛３３をはめ込む複数の溝３２ｂを形成されている。
【００２３】
本実施例のまつげエクステンション用人工毛の装着方法は、各部材を準備した図１５の状態から、まず図１４および図１６のように前記中間用人工毛３２を接着剤でまつげ３１に貼付する。その上で、予め複数本のまつげエクステンション用人工毛３３を接着剤３４で連結した束状のまつげエクステンション用人工毛３３を図１７のように前記中間用人工毛３２の外面に貼付するものであり、ワンタッチで複数本のまつげエクステンション用人工毛３３をまつげ３１に固定できるようになっている。
図において前記中間用人工毛３２は、まつげ３１に貼付する側の凹面３２ａの反対側に複数の溝３２ｂが形成してある。したがって前記まつげエクステンション用人工毛３３を該複数の溝３２ｂに強固に固着しやすいので、まつ毛３１に強固に装着することができる。
【００２４】
上記実施の形態においては、前記中間用人工毛、まつげエクステンション用人工毛の順でまつげに固定するについて説明したが、これに限定されるものではなく、先に前記中間用人工毛にまつげエクステンション用人工毛を接着しておき、その後まつげに前記中間用人工毛を装着しても良い。
【産業上の利用可能性】
【００２５】
本発明に係るまつげエクステンション用人工毛の装着方法は、まつげエクステンションを施す専門店等において広く利用されるものであり、産業上利用可能性を有している。
【符号の説明】
【００２６】
１１  まつげ
１２  中間用人工毛
１２ａ  凹面
１２ｂ  凹面
１３  まつげエクステンション用人工毛
１４  接着剤
２１  まつげ
２２  中間用人工毛
２２ａ  凹面
２２ｂ  平滑面
２３  まつげエクステンション用人工毛
２４  接着剤
３１  まつげ
３２  中間用人工毛
３２ａ  凹面
３２ｂ  複数の溝
３３  まつげエクステンション用人工毛
３４  接着剤